(57)【要約】【課題】本発明の課題はかつらベースに設けられた開口部の開口周縁端部が極めて目立ちにくい構成とするかつらベース及びかつらを提供することである【解決手段】本発明は自毛を導出する少なくとも一つの開口部１４を有し、人毛又は人工毛が植毛されるかつらベース１０において、開口部１４の開口周縁端部１５に複数の凹凸部１６を形成する構成とした。【選択図】図１
2008144306.tif 000002
【特許請求の範囲】
【請求項１】
少なくとも一つの開口部を有し、人毛又は人工毛が植毛されるかつらベースにおいて、
前記開口部の開口周縁端部に複数の凹凸部を形成することを特徴とするかつらベース。
【請求項２】
前記凹凸部は輪状に曲成された一本の糸もしくは編み込み糸で形成されていることを特徴とする請求項１記載のかつらベース。
【請求項３】
前記凹凸部は前記開口部の開口周縁に沿って一定間隔で形成されていることを特徴とする請求項１又は請求項２に記載のかつらベース。
【請求項４】
前記凹凸部は人毛又は人工毛を植毛させることを特徴とする請求項１から請求項３のいずれか一項に記載のかつらベース。
【請求項５】
請求項１から請求項４のいずれか一つに記載されたかつらベースを備えることを特徴とするかつら。
【発明の詳細な説明】
【技術分野】
【０００１】
本発明は、自毛を導出するための開口部を設けたかつらベース及びかつらに関する。
【背景技術】
【０００２】
一般に、かつらは、薄毛に悩む人が頭髪を外見上増量して実際の頭髪であるように見せるために着用したり、頭部の装飾等のために着用するものである。そのため、自毛と、かつらに植毛された人毛又は人工毛とが自然に一体化されることが望ましい。
【０００３】
このようなかつらとして、例えば、特許文献１には、かつらベースに所定数の開口部を設けたものが開示されている。このかつらは、開口部から装着者の自毛を外部に導き出して、かつらベースに植毛された人毛又は人工毛と、自毛とを混毛させて一体化している。
【特許文献１】実開平５−４６９１１号公報
【発明の開示】
【発明が解決しようとする課題】
【０００４】
しかし、特許文献１に記載のかつらは、かつら本体に植毛されている人毛又は人工毛と、開口部から導出した自毛とを混毛させて一体化しようとしても、開口部の開口周縁端部を完全に隠しきれない。よって、使用者がかつらを装着していることが、外観で知られてしまうおそれがあった。
【０００５】
そこで、本発明の課題は自毛を導出するために設けた開口部を、装着時に目立ちにくい構成とするかつらベース及びかつらを提供することである。
【課題を解決するための手段】
【０００６】
自毛を導出する少なくとも一つの開口部を有し、人毛又は人工毛が植毛されるかつらベースにおいて、上記開口部の開口周縁端部に複数の凹凸部を形成することを特徴とした。
【０００７】
好ましくは、上記凹凸部は輪状に曲成された一本の糸もしくは編み込み糸で形成されている構成とした。
【０００８】
好ましくは、上記凹凸部は上記開口部の開口周縁に一定間隔で形成されている構成とした。
【０００９】
好ましくは、上記凹凸部は人毛又は人工毛を植毛させる構成とした。
【００１０】
上記解決手段のかつらベースを備えるかつらである。
【発明の効果】
【００１１】
本発明のかつらベース及びかつらによれば、自毛を導出するために設けた開口部に複数個の凹凸部を形成し、この凹凸部に人毛又は人工毛を植毛することで装着時に開口部が目立たなくすることができた。
【００１２】
また、開口周縁端部に植毛された人毛又は人工毛と自毛とを混毛させることによって、装着時の密着度が高まり、ずれにくくすることができる。
【発明を実施するための最良の形態】
【００１３】
以下、本発明の実施の形態に係るかつらベース及びかつらについて、図を用いて説明を行う。
【００１４】
（第一の実施の形態）
図１は第一の実施の形態のかつらベース１０の全体を示す平面図である。図１において、かつらベース１０は、主に人毛又は人工毛を植毛するためのネット部１１と、そのネット部１１の外周を覆うように形成されたネット周縁部１２と、ネット部１１の一部に形成される分け目部１３とを有している。
【００１５】
また、ネット部１１には、少なくとも一つの開口部１４（本実施の形態では３つ）が形成されている。この開口部１４には、ネット部１１がほぐれないように開口周縁端部１５が設けられている。この開口周縁端部１５には連続して周回する凹凸部１６が形成されている。尚、開口部１４の箇所数及び位置については使用者の用途によって自由に決定することができる。
【００１６】
また、図１は人毛又は人工毛を植毛させていない状態を示している。よって、かつらとして使用する場合は、このかつらベース１０に多数本の人毛又は人工毛が植毛される。
【００１７】
次に、図２は開口部１４を拡大した図である。開口部１４の開口周縁端部１５には、凹凸部１６が連続して周回するように形成されている。また、この凹凸部１６はかつらベース１０を平面視した時に、その水平内で連続して周回するように形成されている。
【００１８】
また、凹凸部１６は、一本の糸もしくは編み込み糸を輪状に折り曲げたもので形成されている。ここでの輪状は例えば、Ｕ字状やＶ字状である。但し、このような形状に限らない。また、凹凸部１６を形成する際に、多数の輪状部分を一定間隔で形成すると良い。但し、この一定間隔の間隔幅は任意で良く、特に限定されない。
【００１９】
また、ここでの一本の糸もしくは編み込み糸は、使用者の自毛と同色にしておくことが好ましい。同様に、本実施の形態のかつらベースの色も使用者の自毛と同色にしておくと好ましい。
【００２０】
また、開口周縁端部１５に凹凸部１６を形成するには、縫着、接着又は熱溶着による固着手段を用いると良い。
【００２１】
次に、図３は、第一の実施の形態のかつらベース１０に人毛又は人工毛を植毛した状態を示す図である。すなわち、開口部１４の周辺と開口周縁端部１５に設けられた凹凸部１６に人毛又は人工毛を植毛した状態を示している。
【００２２】
このようにして、凹凸部１６に人毛又は人工毛を植毛することで、かつらベース１０を使用者が装着した際に、開口部１４と開口周縁端部１５が目立たなくなる。このとき、植毛する箇所は開口周縁端部１５よりも平面視した際に内側に位置する凹凸部１６に植毛する。
【００２３】
このように、内側に位置する凹凸部１６に植毛することで、隣り合う内側の凹凸部１６の間から自毛を導出でき、見た目に自然な感じが得られる。更に凹凸部１６の植毛と、凹凸部１６の間から導出された自毛とにより、かつらが浮き上がることを防ぐことができる。
【００２４】
本実施の形態によれば、開口周縁端部１５に凹凸部１６を設け、凹凸部１６に人毛又は人工毛を植毛させることで、かつらを装着した際に、この開口周縁端部１５が目立たなくすることができた。
【００２５】
（変形例）
次に、図４は、図１におけるかつらベース１０の変形例を示した図である。このかつらベース２０は、図１におけるかつらベース１０と同様にネット部２１、ネット周縁端部２２、分け目部２３、開口部２４、開口周縁端部２５及び凹凸部２６で構成されている。そして、この変形例では、開口部２４は５個設けられている。
【００２６】
このかつらベース２０は更に、分け目部２３の前頭部の端部２７が波状に形成されている。これにより、使用者がかつらベース２０を装着した際に前頭部の生え際がより目立たなくなり、自然な生え際になる。図４においては、かつらベースの変形例の一例を示したが、この例に限定されず、かつらベースに開口部２４を設けることは、大抵のかつらベースに適用可能である。
【００２７】
（第二の実施の形態）
次に、図５Ａは第二の実施の形態による開口部１４の拡大図である。また、図５ＢはそのＶ部の拡大を示す図である。この開口部１４も開口周縁端部１５と、開口周縁端部１５に形成させた凹凸部１６とで形成されている。
【００２８】
本実施の形態は、第一の実施形態のかつらベースに、更に別の一本の糸もしくは編み込み糸を用いて開口周縁端部１５上を交互に周回させて凹凸部１６´を形成したものである。つまり、使用者の頭髪の毛髪量に合わせて凹凸部１６、１６´を形成することが可能である。
【００２９】
すなわち、第一の実施の形態で形成された凹凸部１６と、更に凹凸部１６´を備えた構成となっている。
【００３０】
（第三の実施の形態）
次に、図６は第三の実施の形態の開口部１４の拡大図である。この開口部１４は、第一の実施の形態と同様に、開口周縁端部１５と、この開口周縁端部１５に形成された凹凸部１６とで形成されている。
【００３１】
但し、本実施の形態では、第一の実施の形態の間隔よりも広い間隔で凹凸部１６が形成されている。この間隔は使用者の毛髪量に合わせて自由に形成することが可能である。
【００３２】
次に、図７はかつらベース１０、２０に人毛又は人工毛を植毛させたかつら３０を示す図である。このかつら３０は、ネット部３１、ネット周縁端部３２、分け目部３３、開口部３４、開口周縁端部３５及び凹凸部３６を有するかつらベース３０´を用いている。
【００３３】
図７において、このかつら３０は、ネット周縁端部３２に人毛又は人工毛３７が植毛される。また、ここでは図示しないが、かつら３０は、開口部３４以外のネット部３１、分け目部３３、開口周縁端部３５及び開口周縁端部３５に形成されている凹凸部３６にも人毛又は人工毛３７が植毛される。開口部３４からは、装着者の自毛を外部に導き出して、各部に植毛された人毛又は人工毛と混毛させて一体化している。
【００３４】
以上、説明した本実施の形態のかつらベース及びかつらによれば、かつらベース１０に設けられた開口部１４の開口周縁端部１５に凹凸部１６を設け、開口部１４から引き出した頭部の自毛と凹凸部１６に植毛されている人毛又は人工毛とを混毛させることで自然な状態でかつらを装着することが可能である。
【図面の簡単な説明】
【００３５】
【図１】本実施の形態を示したかつらベースの平面図。
【図２】図１において、開口部の拡大図。
【図３】図２において、開口部に人毛又は人工毛を植毛させた状態を示した図。
【図４】かつらベースの変形例を示した図。
【図５Ａ】第二の実施の形態を示した開口部の拡大図。
【図５Ｂ】図５Ａにおいて、Ｖ部の拡大した状態を示した図。
【図６】第三の実施の形態を示した開口部の拡大図。
【図７】かつらベースに人毛又は人工毛を植毛させたかつらを示す図。
【符号の説明】
【００３６】
１０      かつらベース
１１      ネット部
１２      ネット周縁端部
１３      分け目部
１４      開口部
１５      開口周縁端部
１６      凹凸部
１６´    凹凸部
１７      人毛又は人工毛
２０      かつらベース
２１      ネット部
２２      ネット周縁端部
２３      分け目部
２４      開口部
２５      開口周縁端部
２６      凹凸部
２７      前頭部の端部
３０      かつら
３１      ネット部
３２      ネット周縁端部
３３      分け目部
３４      開口部
３５      開口周縁端部
３６      凹凸部
３７      人毛又は人工毛
【図１】
2008144306.tif 000003
【図２】
2008144306.tif 000004
【図３】
2008144306.tif 000005
【図４】
2008144306.tif 000006
【図５Ａ】
2008144306.tif 000007
【図５Ｂ】
2008144306.tif 000008
【図６】
2008144306.tif 000009
【図７】
2008144306.tif 000010